(57)【要約】【課題】例えば、使用者の腹部の膨らみ状態や腰部の細まり状態等の形態に応じて装着体に対する収納体の相対取付姿勢を変更することにより収納体を使用者の対向部位の表面に密着状態に配置することができ、それだけ、上衣を着た状態での上衣の突出や膨出を抑制することができ、収納体の存在が外観上それほど目立たないことになり、違和感なく使用することができ、一層使用の快適性を高めることができる。【解決手段】使用者の腰部や腹部の近傍に配置される収納体１と、収納体を使用者の腰部や腹部に配置可能な腰ベルト３及び収納体を使用者の肩部に吊下可能な吊下ベルト４からなる装着体２と、収納体を該装着体に取付可能な取付部７とからなり、上記取付部は上記収納体と上記装着体との相対取付姿勢が変更できるように構成されている。【選択図】　　　　図１
2004141530.tif 000002
【特許請求の範囲】
【請求項１】
使用者の腰部や腹部の近傍に配置される収納体と、該収納体を使用者の腰部や腹部に配置可能な腰ベルト及び該収納体を使用者の肩部に吊下可能な吊下ベルトからなる装着体と、該収納体を該装着体に取付可能な取付部とからなり、上記取付部は上記収納体と上記装着体との相対取付姿勢が変更できるように構成されていることを特徴とする携行用小物入れ。
【請求項２】
上記取付部に雌一対の面ファスナが用いられていることを特徴とする請求項１記載の携行用小物入れ。
【請求項３】
上記装着体は、上記腰ベルトの前側部に吊下ベルトの前端部が止着され、該腰ベルトの後側部に吊下ベルトの後端部が止着されてなることを特徴とする請求項１又は２記載の携行用小物入れ。
【請求項４】
上記収納体の裏面部に該収納体と上記装着体との相対取付姿勢の変更を許容して上記吊下ベルトを挿通保持可能な保持部が設けられていることを特徴とする請求項１〜３のいずれか１項に記載の携行用小物入れ。
【発明の詳細な説明】
【０００１】
【発明の属する技術分野】
本発明は例えば携帯電話や手帳、財布、定期券等の小物類を携帯収納する際に用いられる携行用小物入れに関するものである。
【０００２】
【従来の技術】
従来、この種の携行用小物入れとして、使用者の腰部近傍に配置されるウエストポーチが知られている。
【０００３】
【発明が解決しようとする課題】
しかしながら上記従来構造の場合、例えば、スーツや背広の着用時には体裁上あまり似合わないことがあると共に上衣の内ポケットでは収納に限界があり、このため、上衣を着ることにより上衣で隠れ、しかも、外観上それほど目立たない携行用小物入れの出現が強く望まれているという不都合を有している。
【０００４】
【課題を解決するための手段】
本発明はこのような課題を解決することを目的とするもので、本発明のうちで、請求項１記載の発明は、使用者の腰部や腹部の近傍に配置される収納体と、該収納体を使用者の腰部や腹部に配置可能な腰ベルト及び該収納体を使用者の肩部に吊下可能な吊下ベルトからなる装着体と、該収納体を該装着体に取付可能な取付部とからなり、上記取付部は上記収納体と上記装着体との相対取付姿勢が変更できるように構成されていることを特徴とする携行用小物入れにある。
【０００５】
又、請求項２記載の発明は、上記取付部に雄雌一対の面ファスナが用いられていることを特徴とするものであり、又、請求項３記載の発明は、上記装着体は、上記腰ベルトの前側部に吊下ベルトの前端部が止着され、該腰ベルトの後側部に吊下ベルトの後端部が止着されてなることを特徴とするものであり、又、請求項４記載の発明は、上記収納体の裏面部に該収納体と上記装着体との相対取付姿勢の変更を許容して上記吊下ベルトを挿通保持可能な保持部が設けられていることを特徴とするものである。
【０００６】
【発明の実施の形態】
図１乃至図４は本発明の実施の形態例を示し、１は収納体であって、柔軟性の布や皮、合成樹脂等の素材により製作され、使用者Ｍの腰部や腹部の近傍に配置され、この場合、スライドファスナ１ａにより開閉可能であって、財布等の小物Ｗを収納可能な収納袋部１ｂ、携帯電話や定期券等の小物Ｗを収納可能な区画袋部１ｃ・１ｃを備えてなる。
【０００７】
２は装着体であって、布や皮、合成樹脂等の素材により製作され、上記収納体１を使用者Ｍの腰部や腹部に配置可能な腰ベルト３及び収納体１を使用者Ｍの肩部に吊下可能な吊下ベルト４からなり、この場合、上記腰ベルト３の前側部に吊下ベルト４の前端部が止着部５により縫製止着され、腰ベルト３の後側部に吊下ベルト４の後端部が止着部６により縫製止着され、腰ベルト３の中間部に着脱自在な雄雌一対のバックル１０ａ・１０ａが取り付けられていると共に伸縮機構１１が設けられている。尚、吊下ベルト４にも雄雌一対のバックル１０ａ・１０ａや伸縮機構１１と同様なバックルや伸縮機構を設けることもある。
【０００８】
７は取付部であって、上記収納体１と上記装着体２との相対取付姿勢が変更できるように構成され、この場合、雄雌一対の相互に着脱自在な面ファスナ８ａ・８ａが用いられ、この一方の面ファスナ８ａを収納体１の裏面に止着し、他方の面ファスナ８ａを腰ベルト３の外面に止着し、かつ、上記収納体１の裏面部に上記収納体１と上記装着体２との相対取付姿勢の変更を許容して吊下ベルト４を挿通保持可能な保持部９・９を設け、この場合、保持部９・９は収納体１の裏面に保持片９ａ・９ａを挿通保持間隙Ｈ・Ｈを存して縫製止着して形成され、しかして、一対の面ファスナ８ａ・８ａの相互着脱により収納体１と上記装着体２との相対取付姿勢が変更できるように構成されている。
【０００９】
この実施の形態例は上記構成であるから、装着体２の腰ベルト３を使用者Ｍの腰部や腰部のやや上の腹部に巻装すると共に吊下ベルト４を使用者Ｍの肩部に吊下することにより取付部７により装着体２に取り付けられた収納体１を使用者Ｍの腰部や腹部の近傍に配置することができ、このため、腰ベルト２及び吊下ベルト３により収納体１を使用者Ｍに横ずれ及び上下ずれを防いで安定した状態で配置することができ、使用の快適性を高めることができ、かつ、上記取付部７は上記収納体１と上記装着体２との相対取付姿勢が変更できるように構成されているから、図２の如く、収納体１を実線位置及び左右の想像線位置のように左右方向に傾けて相対取付姿勢を変更することができ、この場合、面ファスナ８ａ・８ａにより収納体１を装着体２から外して傾けた後に再び面ファスナ８ａ・８ａにより収納体１を装着体２に取り付けることにより装着体２に対する収納体１の相対取付姿勢を変更することができ、このため、例えば、使用者Ｍの腹部の膨らみ状態や腰部の細まり状態等の形態に応じて装着体２に対する収納体１の相対取付姿勢を変更することにより収納体１を使用者Ｍの対向部位の表面に密着状態に配置することができ、それだけ、上衣を着た状態での上衣の突出や膨出を抑制することができ、収納体１の存在が外観上それほど目立たないことになり、違和感なく使用することができ、一層使用の快適性を高めることができる。
【００１０】
又、この場合、上記取付部７に雄雌一対の面ファスナ８ａ・８ａが用いられているから、面ファスナ８ａ・８ａにより収納体１を装着体２から外して傾けた後に再び面ファスナ８ａ・８ａにより収納体１を装着体２に取り付けることにより装着体２に対する収納体１の相対取付姿勢を容易に変更することができ、又、この場合、上記装着体２は、上記腰ベルト３の前側部に吊下ベルト４の前端部が止着され、腰ベルト３の後側部に吊下ベルト４の後端部が止着されてなるから、腰ベルト３を吊下ベルト４により吊下することになり、収納体１を使用者Ｍに横ずれ及び上下ずれを防いで安定した状態で配置することができ、又、この場合、上記収納体１の裏面部に収納体１と上記装着体２との相対取付姿勢の変更を許容して上記吊下ベルト４を挿通保持可能な保持部９が設けられているから、収納体１は吊下ベルト４によっても保持されることになり、一層収納体１を使用者Ｍの対向部位の表面に密着状態に配置することができる。
【００１１】
更に、この場合、伸縮機構１１により使用者Ｍの腰部や腹部のサイズに適応することができると共に雄雌一対のバックル１０ａ・１０ａにより装着体２の使用者Ｍに対する着脱を容易に行うことができる。
【００１２】
尚、本発明は上記実施の形態例に限られるものではなく、収納体１の形態や材質、構造、装着部２や取付部７の構造等は適宜変更して設計される。例えば、取付部７として、上記面ファスナ８ａ・８ａに代えてボタンやホック等を用いることもある。
【００１３】
【発明の効果】
本発明は上述の如く、請求項１記載の発明にあっては、装着体の腰ベルトを使用者の腰部や腰部のやや上の腹部に巻装すると共に吊下ベルトを使用者の肩部に吊下することにより取付部により装着体に取り付けられた収納体を使用者の腰部や腹部の近傍に配置することができ、このため、腰ベルト及び吊下ベルトにより収納体を使用者に横ずれ及び上下ずれを防いで安定した状態で配置することができ、使用の快適性を高めることができ、かつ、上記取付部は上記収納体と上記装着体との相対取付姿勢が変更できるように構成されているから、例えば、使用者の腹部の膨らみ状態や腰部の細まり状態等の形態に応じて装着体に対する収納体の相対取付姿勢を変更することにより収納体を使用者の対向部位の表面に密着状態に配置することができ、それだけ、上衣を着た状態での上衣の突出や膨出を抑制することができ、収納体の存在が外観上それほど目立たないことになり、違和感なく使用することができ、一層使用の快適性を高めることができる。
【００１４】
又、請求項２記載の発明にあっては、上記取付部に雄雌一対の面ファスナが用いられているから、面ファスナにより収納体を装着体から外して傾けた後に再び面ファスナにより収納体を装着体に取り付けることにより装着体に対する収納体の相対取付姿勢を容易に変更することができ、又、請求項３記載の発明にあっては、上記装着体は、上記腰ベルトの前側部に吊下ベルトの前端部が止着され、腰ベルトの後側部に吊下ベルトの後端部が止着されてなるから、腰ベルトを吊下ベルトにより吊下することになり、収納体を使用者に横ずれ及び上下ずれを防いで安定した状態で配置することができ、又、請求項４記載の発明にあっては、上記収納体の裏面部に収納体と上記装着体との相対取付姿勢の変更を許容して上記吊下ベルトを挿通保持可能な保持部が設けられているから、収納体は吊下ベルトによっても保持されることになり、一層収納体を使用者の対向部位の表面に密着状態に配置することができる。
【００１５】
以上、所期の目的を充分達成することができる。
【図面の簡単な説明】
【図１】本発明の実施の形態例の全体斜視図である。
【図２】本発明の実施の形態例の部分正面図である。
【図３】本発明の実施の形態例の部分斜視図である。
【図４】本発明の実施の形態例の使用状態図である。
【符号の説明】
１　収納体
２　装着体
３　腰ベルト
４　吊下ベルト
７　取付部
８ａ　面ファスナ
【図１】
2004141530.tif 000003
【図２】
2004141530.tif 000004
【図３】
2004141530.tif 000005
【図４】
2004141530.tif 000006